(57)【要約】【課題】  カニューレ等のコネクタ部から流出する体液を効果的に受け止めて、体液の身体や衣類への漏出を防止する。【解決手段】  水平床板部（２）と、該床板部の周縁に起立形成され該床板部の周縁を隙間無く包囲する直立壁（３）と、上記床板部に貫設された貫通孔（７）からなる上面開口の箱状の体液漏出防止具であって、上記水平床板部の貫通孔（７）にその後方側からカニューレのコネクタ部（１５）を上向きに挿入し得るように構成し、上記貫通孔（７）に上記コネクタ部（１５）を嵌合した状態において、上記コネクタ部（１５）の開口部が直立壁（３）によって囲まれた当該防止具の内側に位置するように構成し、上記貫通孔（７）の直径はカニューレのチューブに連通するコネクタ部（１５）が上記貫通孔（７）に嵌合し得る程度の大きさとする。【選択図】  図１
2009112366.tif 000002
【特許請求の範囲】
【請求項１】
水平床板部と、該床板部の周縁に起立形成され該床板部の周縁を包囲する直立壁と、上記床板部に貫設された貫通孔からなる上面開口の箱状の体液漏出防止具であって、
上記水平床板部の貫通孔にその後方側からカニューレのコネクタ部を上向きに挿入し得るように構成し、
上記貫通孔に上記コネクタ部を嵌合した状態において、上記コネクタ部の開口部が直立壁によって囲まれた当該防止具の内側に位置するように構成し、
かつ上記貫通孔の直径は、カニューレのチューブに連通するコネクタ部が上記貫通孔に嵌合し得る程度の大きさであることを特徴とする体液漏出防止具。
【請求項２】
上記体液漏出防止具の貫通孔は、上記床板部の一端部に設けられると共に、上記貫通孔近傍の上記直立壁の高さを他の直立壁の高さより低く形成したものであることを特徴とする請求項１記載の体液漏出防止具。
【請求項３】
上面開口の縦長有底箱状の体液漏出防止具であって、
当該防止具の後板部の上部に貫通孔を貫設し、
上記垂直状態の後板部の上記貫通孔にその後方側からカニューレのコネクタ部を横向きに挿入し得るように構成し、
上記貫通孔に上記コネクタ部を嵌合した状態において、上記コネクタ部の開口部が当該防止具内に位置するように構成し、
かつ上記貫通孔の直径は、カニューレのチューブに連通するコネクタ部が上記貫通孔に嵌合し得る程度の大きさであることを特徴とする体液漏出防止具。
【請求項４】
上記体液漏出防止具は、その防止具の左右上端部に、患者の首にかけるストラップを接続したものであることを特徴とする請求項３記載の体液漏出防止具。
【請求項５】
上記体液漏出防止具の後板部の下縁に当該防止具の床板部から前板部の上部に至る補強用延長片を形成し、当該延長片を上記前板部側に折り曲げることにより上記防止具の床板部と前板部に重合させたものであることを特徴とする請求項３又は４記載の体液漏出防止具。
【請求項６】
上記体液漏出防止具の前板部の一部に切り込みを設け、上記貫通孔に対応する一部を開閉し得るように構成したものであることを特徴とする請求項３〜５の何れかに記載の体液漏出防止具。
【請求項７】
上記体液漏出防止具は防水加工の施された紙製であることを特徴とする請求項１〜６の何れかに記載の体液漏出防止具。
【請求項８】
上記貫通孔は、円形外周縁から貫通孔中心に向かって複数の切り込み線を設けることにより複数の切り込み片を形成し、上記コネクタ部の未挿入状態では複数の上記切り込み片により閉鎖状態としたものであることを特徴とする請求項１〜７の何れかに記載の体液漏出防止具。
【発明の詳細な説明】
【技術分野】
【０００１】
本発明は人体の切開孔等に取り付けられたカニューレのコネクタ部から体液（痰等）を吸引する際等に、上記コネクタ部からの体液の流出を受け止めることができる体液漏出防止具に関するものである。
【背景技術】
【０００２】
従来、カニューレのコネクタ部から痰等を吸引する際、切開孔から流出する体液を受け止める装置として、切開孔の回りにガーゼを敷いて体液の漏出や拡散を防止して、衣類等の汚れを回避するものが提案されている（特許文献１）。
【０００３】
また、カニューレのコネクタ部と人体との間に体液回収容器を取り付けることにより、切開孔から流出する体液を上記回収容器で受け止めて、体液のさらなる漏出や拡散を防止して、衣類等の汚れを回避するものが提案されている（特許文献２）。
【０００４】
【特許文献１】特開２００５−５２６１５号公報
【特許文献２】実用新案登録第３１２３３９３号公報
【発明の開示】
【発明が解決しようとする課題】
【０００５】
ところで、上記従来のものでは、切開孔そのものから漏出する体液は回収し得るが、カニューレのコネクタ部から流出する体液は、何ら回収し得ないため、上記容器等を使用しても結果として上記コネクタ部から流出する体液が身体や衣服等に付着してしまうという課題がある。
【０００６】
また、痰等を吸引する場合は、カニューレのコネクタ部に吸引チューブを挿入して行うことになるが、吸引チューブの取り外し時等において、特にコネクタ部からの痰の流出が生じる。
【０００７】
このように、切開孔からの痰等の流出は従来のガーゼ等で効果的に阻止できるが、現実の吸引作業時においては、むしろ上記コネクタ部からの流出が多く、かかる部分から流出した痰等をいかに回収するかが課題となる。
【０００８】
また、吸引作業時に限らず、リハビリ時や通常の生活時に咳をした時等において、カニューレの先端から相当量の痰が一度に流出する場合があるが、このような状況においては上記従来の装置では流出する痰を受け止められないという課題がある。
【０００９】
本発明は、上記従来の課題に鑑みてなされたものであり、カニューレのコネクタ部から流出した体液を効果的に回収し得る体液漏出防止具を提供することを目的とする。
【課題を解決するための手段】
【００１０】
上記の目的を達成するため本発明は、
第１に、水平床板部と、該床板部の周縁に起立形成され該床板部の周縁を包囲する直立壁と、上記床板部に貫設された貫通孔からなる上面開口の箱状の体液漏出防止具であって、上記水平床板部の貫通孔にその後方側からカニューレのコネクタ部を上向きに挿入し得るように構成し、上記貫通孔に上記コネクタ部を嵌合した状態において、上記コネクタ部の開口部が直立壁によって囲まれた当該防止具の内側に位置するように構成し、かつ上記貫通孔の直径は、カニューレのチューブに連通するコネクタ部が上記貫通孔に嵌合し得る程度の大きさであることを特徴とする体液漏出防止具により構成される。
【００１１】
よって痰等の体液の吸引時にコネクタ部から体液が流出したとしても上記防止具の水平床板部と直立壁によって受け止めて、体液の身体や衣服への漏出を効果的に防止し得る。
【００１２】
第２に、上記体液漏出防止具の貫通孔は、上記床板部の一端部に設けられると共に、上記貫通孔近傍の上記直立壁の高さを他の直立壁の高さより低く形成したものであることを特徴とする上記第１記載の体液漏出防止具により構成される。
【００１３】
上記床板部の一端部とは、例えば床板部の前端部をいう。よって、貫通孔に嵌合されたコネクタ部への吸引具等の着脱処置等を当該防止具の装着状態において容易に行なうことができる。
【００１４】
第３に、上面開口の縦長有底箱状の体液漏出防止具であって、当該防止具の後板部の上部に貫通孔を貫設し、上記垂直状態の後板部の上記貫通孔にその後方側からカニューレのコネクタ部を横向きに挿入し得るように構成し、上記貫通孔に上記コネクタ部を嵌合した状態において、上記コネクタ部の開口部が当該防止具内に位置するように構成し、かつ上記貫通孔の直径は、カニューレのチューブに連通するコネクタ部が上記貫通孔に嵌合し得る程度の大きさであることを特徴とする体液漏出防止具により構成される。
【００１５】
よって、患者が起立状態においても、コネクタ部から流出する体液を当該防止具にて受け止めることができ、体液の身体や衣類等への漏出を効果的に防止し得る。
【００１６】
第４に、上記体液漏出防止具は、その防止具の左右上端部に、患者の首にかけるストラップを接続したものであることを特徴とする上記第３記載の体液漏出防止具により構成される。
【００１７】
よって患者は当該防止具を首にかけたままの状態で歩行等を行い得る。
【００１８】
第５に、上記体液漏出防止具の後板部の下縁に当該防止具の床板部から前板部の上部に至る補強用延長片を形成し、当該延長片を上記前板部側に折り曲げることにより上記防止具の床板部と前板部に重合させたものであることを特徴とする上記第３又は４記載の体液漏出防止具により構成される。
【００１９】
よって、床板部と前板部を上記補強用延長片によって２重に形成し得るため、体液等によって容易に形崩れしない丈夫な体液漏出防止具を形成し得る。
【００２０】
第６に、上記体液漏出防止具の前板部の一部に切り込みを設け、上記貫通孔に対応する一部を開閉し得るように構成したものであることを特徴とする上記第３〜５の何れかに記載の体液漏出防止具により構成される。
【００２１】
よって、貫通孔に嵌合したコネクタ部への吸引具の着脱等、体液の吸引処置を当該防止具を装着したままの状態で容易に行ない得る。尚、貫通孔に対応する一部とは前板部における切り込みによって開閉可能に形成された部分をいい、貫通孔に対向する前板部の部分、貫通孔に対向しない前板部の部分を含む。
【００２２】
第７に、上記体液漏出防止具は防水加工の施された紙製であることを特徴とする第１〜６の何れかに記載の体液漏出防止具により構成される。
【００２３】
よって、防水性を有する体液漏出防止具を簡単に低コストで製造することができる。
【００２４】
第８に、上記貫通孔は、円形外周縁から貫通孔中心に向かって複数の切り込み線を設けることにより複数の切り込み片を形成し、上記コネクタ部の未挿入状態では複数の上記切り込み片により閉鎖状態としたものであることを特徴とする上記第１〜７の何れかに記載の体液漏出防止具。
【００２５】
よって、カニューレのコネクタ部を貫通孔に挿入すると、コネクタ部の直径に応じて切り込み片が挿入方向に対向して起立してコネクタ部を保持し得るため、コネクタ部の直径の大小にかかわらず、確実に体液漏出防止具をコネクタ部に装着し得る。
【発明の効果】
【００２６】
本発明は上述のように構成したので、カニューレ等のコネクタ部から流出した体液を効果的に回収し得て、体液の身体や衣類への漏出を効果的に防止し得る。
【００２７】
また、体液漏出防止具の装着状態において、コネクタ部への吸引具等の着脱処置等を容易に行なうことができる。
【００２８】
また、患者は本発明に係る体液漏出防止を装着したままの状態で歩行等を行い得る。
【００２９】
また、本発明に係る体液漏出防止具は防水加工の施された紙等によって簡単に低コストで作ることができる。
【００３０】
また、カニューレのコネクタ部の直径が異なっても確実に装着することができる体液漏出防止具を提供し得るものである。
【発明を実施するための最良の形態】
【００３１】
以下、添付図面に基づいて本考案の一実施形態を詳細に説明する。
【００３２】
図１は本発明に係る第１の実施形態の体液漏出防止具１を示す斜視図である。
【００３３】
かかる図において、当該体液漏出防止具１は、全体として上面開口の横長直方体形状をなしており、長方形状の水平床板部２と該床板部２の四辺から直立方向に起立する４つの直立壁３，３，３，３から構成されている。即ち、水平床板部２の周囲には該床板部２の周囲を隙間無く包囲する直立壁３，３，３，３が起立形成されている。
【００３４】
この直立壁３，３，３，３の内、後方壁部４が最も背が高く、左右に位置する左右壁部５，５’は上記後方壁部４と同一高さの後方接続部５ａ，５ａ’を以って上記後方壁部４に接続され、左右壁部５，５’の略中央部から前方よりの位置においては、上記後方接続部５ａ，５ａ’より前方側に向かう下り傾斜のテーパ部５ｂ，５ｂ’により形成されている。
【００３５】
上記直立壁部３，３，３，３の内、前方壁部６は最も背が低く、上記左右壁部５，５’の上記テーパ部５ｂ，５ｂ’の前端の最も低い高さと同一の高さを有している。
【００３６】
７は上記床板部２の前方よりの中央部（前端部）に貫通形成された接続用の貫通孔であり、後述するカニューレ１１のコネクタ部１５を嵌合挿入するものである。尚、上記貫通孔７の近傍の上記直立壁３（上記テーパ部５ｂ，５ｂ’、上記前方壁部６）の高さを他の直立壁３（後方接続部５ａ，５ａ’、後方壁部４）の高さより低く形成することにより、当該体液漏出防止具１の装着状態で、上記貫通孔７に後方から接続されたコネクタ部１５への吸引チューブの挿入等の処置を行い易くしている。
【００３７】
また、上記貫通孔７にコネクタ部１５を上向きに嵌合装着した状態において、上記コネクタ部１５の開口部１５ａが上記直立壁３，３，３，３によって囲まれた当該体液漏出防止具１の内側に位置するように構成する（図２参照）。
【００３８】
この体液漏出防止具１の材質は、厚さが例えば０．５ｍｍ〜１．５ｍｍの比較的厚い原紙（例えばコートボール３１０ｇ／ｍ２等）であり、当該原紙の表面に、防水性の透明インキ（オーバープリントニス（ＯＰニス）等）をニス引き、プレスコート等の手法により防水加工を施したり、樹脂フィルム（ＰＰフィルム）をラミネート加工することにより防水加工を施したものである。
【００３９】
上記体液漏出防止具１は、上述のように厚紙により構成されるものであるが、簡易的には図１の防止具１の各直立壁３，３，３，３に糊代等を設けて平面的に展開した状態の厚紙から、各直立壁３，３，３，３を起立させ、各壁同士を係合或いは接着することにより構成することができる。この場合、床板部２の四隅における各直立壁３，３，３，３間の角部には小さな間隙が生じるが、大部分の体液は床板部２の面によって受け止めることができる。尚、組み立て後の体液漏出防止具１の上記四隅の角部にテープを貼着して上記間隙を塞いだり、床板部２にガーゼ、ティッシュ等を敷くことにより体液の漏出を確実に防止することができる。
【００４０】
本発明の体液漏出防止具１は上述のように構成されるものであるから、次にその使用方法を図２、図３に基づいて説明する。
【００４１】
患者９は、痰等の体液を吸引するため咽９ａに切開孔８を形成し、当該切開孔８から気管１０内にカニューレ１１のカフ１２及びチューブ１３を挿入し、上記切開孔８から固定片１４及び上記チューブ１３に連通するコネクタ部１５が突出した状態となっている。
【００４２】
痰等の吸引処置を行う場合は、図３に示すように、患者９は上向きで横になった状態となっている。そこで、痰等の吸引を行う前に、本発明に係る体液漏出防止具１の水平床板部２を上記患者の咽の切開孔８上に宛がい、その貫通孔７の中に上記コネクタ部１５を後方側から上向きに挿入して勘合固定する（図３の状態）。この状態においては、上記コネクタ部１５の直径と上記貫通孔７の直径は略同一に形成されているので、上記コネクタ部１５は上記貫通孔７内に隙間無く勘合固定される。即ち、上記貫通孔７の直径は、カニューレ１１のチューブ１３に連通するコネクタ部１５が上記貫通孔７に隙間無く嵌合し得る程度の大きさに構成されている。又は、貫通孔７は上記カニューレ１１のチューブ１３に連通するコネクタ部１５と上記貫通孔７との間に多少隙間が存在しても、両者が嵌合し得る程度の大きさに構成されている。即ち、上記コネクタ部１５と上記貫通孔７との関係は、隙間なく嵌合した状態でも良いが、多少の隙間があっても当該体液漏出防止具１が上記コネクタ部１５に係止され容易に外れない状態となれば良い。
【００４３】
この状態で、上記コネクタ部１５からカニューレ１１の内部に吸引チューブＣを挿入し、図示しない吸引装置にて痰の吸引を行う。痰等の体液は吸引チューブＣを介して吸引装置内に吸引されていく。吸引が終了したら、上記カニューレ１１のコネクタ部１５から吸引チューブＣを抜き取るが、その際、上記コネクタ部１５から痰等の体液が外部に流出する。
【００４４】
このとき、上記コネクタ部１５から流出した痰等の体液は、上記体液漏出防止具１の水平床板部２に流出していくため、該体液が患者の身体或は衣類に付着することはない。また、当該体液漏出防止具１は、四方に直立壁３，３，３，３を有しているので、床板部２に流出した体液は、床板部２の四方の何れの方向に流出しても、当該体液漏出防止具１から漏出することはない。
【００４５】
また、直立壁３，３，３，３は或る程度の高さを有しているので、コネクタ部１５から流出する体液の量が多くても上記直立壁３，３，３，３によって防止具１外への漏出を確実に防止し得る。また、上記直立壁３，３，３，３の内、後方壁部４及び左右壁部５，５’の後方接続部５ａ，５ａ’においては前方壁部６より高さが高いので、患者が上半身をある程度起こしたとしても床板部２に溜まった体液が容易に当該防止具１から漏出することはない。
【００４６】
また、上記患者が咳をした場合、上記コネクタ部１５から相当量の痰が一度に流出する場合があるが、その場合においても流出した痰はその大部分を体液漏出防止具１の水平床板部２で受け止めることができ、患者の衣類に付着することは少ない。
【００４７】
また、上記貫通孔７の近傍の直立壁３の高さが低いので、コネクタ部１５への吸引チューブの挿脱処置を容易に行なうことができる。
【００４８】
さらに、図７に示すように、吸入器のマスク３０をコネクタ部１５を覆うように上記床板部２に宛がい、チューブ３１を通して霧状の薬剤を上記カニューレ１１のコネクタ部１５から患者の気管１０内に投入することが行われるが、この場合、霧状の薬剤が上記床板部２によって患者の衣服に直接接触することが妨げられる。よって、本発明に係る体液漏出防止具１は、吸入操作に伴う患者の衣類の汚れをも防止することもできる。
【００４９】
次に、本発明に係る体液漏出防止具の第２の実施形態を図４乃至図６により説明する。図４に示すものは、第２の実施形態を示す体液漏出防止具２０であり、主に患者が立ち上がった状態、或は上半身を起こした状態で使用するものである。
【００５０】
かかる図において、体液漏出防止具２０は、全体として上面開口の縦長の有底箱状に構成されており、上端部にコネクタ部１５に接続するための貫通孔２１の貫通形成された後板部２２と、床板部２３と前板部２４と、上記後板部２２と前板部２４と上記床板部２３の側縁を閉鎖する左右側板部２５ａ，２５ａ’とから構成されている。
【００５１】
上記左右側板部２５ａ，２５ａ’の上端部には、各々吊り下げ紐の係合用透孔２６、２６’が貫通形成されており、当該係合用透孔２６、２６’に吊り下げ紐（ストラップ）２７の両端部を係合する。
【００５２】
上記左右側板部２５ａ，２５ａ’の前端部は図４に示すように、後板部２２の上端部の位置より低い位置の切り欠き部２５ｃ，２５ｃ’が設けられており、上記前板部２４の上端位置は上記切り欠き部２５ｃ，２５ｃ’と同一位置、即ち、上記後板部２２の上端位置より低い位置となるように構成されている。これにより、上記貫通孔２１に接続されたコネクタ部１５への吸引チューブの挿脱作業が行ない易いように構成している。
【００５３】
尚、上記前板部２４の両端位置を上端から下方向けて所定距離切り込むことにより切り込み２４ａ、２４ａ’を形成し、その後、上記切込に囲まれたフラップ部分２４ｂを矢印Ａ方向（前方）に回動自在とすることにより、上記前板部２４の上部（貫通孔２１に対応する前板部２４の一部）を開閉可能としても良い。このように構成すると、当該防止具２０の装着状態において、コネクタ部１５への吸引チューブＣの挿脱処置時に、上記フラップ部分２４ｂを矢印Ａ方向に回動することにより、フラップ部分２４ｂが邪魔になることがなく、上記挿脱作業を容易に行なうことができる（図８も参照）。
【００５４】
また、上記貫通孔２１に上記コネクタ部１５を横向きに嵌合装着した状態において、上記コネクタ部１５の開口部１５ａが当該体液漏出防止具２０の内部に位置するように構成する。
【００５５】
この体液漏出防止具２０は、上記第１の実施形態と同様の材質により構成されており、厚さが例えば０．５ｍｍ〜２ｍｍの比較的厚い原紙（例えばコートボール３１０ｇ／ｍ２等）であり、当該原紙の表面に、防水性の透明インキ（ＯＰニス等）をニス引き、プレスコート等の手法により防水加工を施したり、ＰＰフィルムをラミネート加工することにより防水加工を施したものである。
【００５６】
上記体液漏出防止具２０は、上述のように厚紙により構成されるものであるが、第１の実施形態と同様に、簡易的には図４の防止具２０の左右側板部２５ａ，２５ａ’、前板部２４、床板部２３に糊代等を設けて平面的に展開した状態の厚紙から、各板部を箱状に組み立てて各々を係合又は接着することにより構成することができる（例えば図８（ｂ）参照）。この場合、床板部２３と左右側板部間に多少の間隙が生じるが、床板部２３隅部又は周囲をテープで塞いだり、当該防止具２０内部にガーゼ、ティッシュ等を敷くことにより、体液の漏出を確実に防止することができる。
【００５７】
本実施形態の体液漏出防止具１は上述のように構成されるものであるから、次にその使用方法を図５、図６に基づいて説明する。
【００５８】
患者９は、上記第１の実施形態と同様に、咽９ａに切開孔８を形成し、当該切開孔８から気管１０内にカニューレ１１のカフ１２及びチューブ１３を挿入し、上記切開孔８から固定片１４及び上記チューブ１３に連通するコネクタ部１５が突出した状態となっているものとする。
【００５９】
第２の実施形態においては、患者は図６に示すように起立状態或は上半身を起こした状態となっているものとする。かかる状態で、痰等の吸引を行う前に、本発明に係る体液漏出防止具２０の後板部２２を上記患者９の咽９ａの切開孔８に宛がい、その貫通孔２１の中に上記コネクタ部１５を横向きに挿入して勘合固定する（図６の状態）。この状態においては、上記コネクタ部１５の直径と上記貫通孔２１の直径は略同一に形成されているので、上記コネクタ部１５は上記貫通孔２１内に隙間無く勘合固定される。即ち、上記貫通孔２１の直径は、カニューレ１１のチューブに連通するコネクタ部１５が上記貫通孔２１に隙間無く嵌合し得る程度の大きさに構成されている。又は、上記カニューレ１１のチューブ１３に連通するコネクタ部１５と上記貫通孔２１との間に多少隙間が存在しても、両者が嵌合し得る程度の大きさに構成されている。即ち、上記第１の実施形態と同様に、上記コネクタ部１５と上記貫通孔２１との関係は、隙間なく嵌合した状態でも良いが、多少の隙間があっても当該体液漏出防止具２０が上記コネクタ部１５に係止され容易に外れない状態となれば良い。
【００６０】
さらに、この状態において患者は吊り下げ紐（ストラップ）２７を首にかけて、当該防止具２０の落下を防止する。
【００６１】
かかる状態において、上記コネクタ部１５からカニューレ１１の内部に吸引チューブ（図示せず）を挿入し、図示しない吸引装置にて痰の吸引を行う。痰等の体液は吸引チューブを介して吸引装置内に吸引されていく。吸引が終了したら、上記カニューレ１１のコネクタ部１５から吸引チューブを抜き取るが、その際、上記コネクタ部１５から痰等の体液が流出する。
【００６２】
このとき、上記コネクタ部１５から流出した痰等の体液は、上記体液漏出防止具２０内に流出していくため、該体液が患者９の身体或は衣類に付着することはないし、流出した体液が該防止具２０外に漏出することもない。
【００６３】
また、当該体液漏出防止具２０は、縦長の箱状であるため、コネクタ部１５から流出した体液をある程度の量当該防止具２０内に溜めることができ、頻繁に交換する必要もない。
【００６４】
また、この第２の実施形態の防止具２０によれば、患者９は当該防止具２０を首に掛けた状態で、歩行、リハビリ等を行なうことができるため、コネクタ部１５から漏出する体液を気にすることなく、簡単な移動、或は簡単な作業を行なうことができるという効果をも奏するものである。特に、咳をした場合等において、相当量の痰が上記コネクタ部１５から流出する場合があるが、そのような場合においても流出した痰の大部分を当該体液漏出防止具２０により受けることができ、痰による汚れ等を気にすることなく、歩行、リハビリ等を行うことができる。
【００６５】
尚、本発明にかかる体液漏出防止具は防水加工が施されているから、例えば一晩装着した状態でも支障なく使用することができる。
【００６６】
図８に示すものは、上記第３の実施形態であり、上記第２の実施形態と同一又は対応部分には同一符号を付している。この第３の実施形態の体液漏出防止具２０は、展開状態において後板部２２に隣接して左側板部２５ａ、前板部２４、右側板部２５ａ’を左右方向に連続して設け、上記左右側板部２５ａ，２５ａ’下端に左右折曲片２３ｂ，２３ｂを設けると共に、前板部２４下縁に床板部２３及びそれに続く折曲片２３ａを設け、さらに、上記後板部２２の下縁に連続して、組み立て時に床板部２３の下側に位置する床板補強用延長片２８ａと、同じく組み立て時に前板部２４の前面に位置し、上記前板部２４と同等の面積を有する前板補強用延長片２８ｂが設けられている。
【００６７】
また、上記前板補強用延長片２８ｂの左右側縁の対称位置には小係合片２９，２９が突出形成され、さらに上記左右側板部２５ａ，２５ａ’と上記前板部２４とのコーナ部には上記小係合片２９，２９を挿入係合するためのスリット２４ｃ，２４ｃ’が貫通形成されている。即ち、上記体液漏出防止具の後板部２２の下縁に当該防止具２０の床板部２３から前板部２４の前面側の上部に至る補強用延長片２８ａ，２８ｂを形成し、当該延長片２８ａ，２８ｂを上記防止具２０の床板部２３と前板部２４に重合させた。
【００６８】
よって、この第３の実施形態によると、本体を図８（ａ）に示すように筒状に組み立てて例えば右側板部２５ａ’と後板部２２を接着剤等で接着する。その後、上記左右折曲片２３ｂ，２３ｂを内側に折り曲げ、かつ床板部２３を前板部２４に対して直角に折り曲げ、さらに折曲片２３ａを後板部２２の内側に折り曲げて箱状の本体を形成する。その後、さらに床板補強用延長片２８ａを上記床板部２３の下側に折り曲げて床板部２３に重合させ、さらにそれに続く前板補強用延長片２８ｂを上記前板部２４の前面に重合させ（矢印Ｂ方向）、かつ左右の小係合片２９，２９を上記スリット２４ｃ，２４ｃ’に貫通して上記前板補強用延長片２８ｂを前板部２４の前面に重合状態で固定する（図８（ｂ）参照）。
【００６９】
この第３の実施形態においても、使用時は内部にガーゼ等を敷いて使用することが好ましいが、床板部２３と前板部２４の部分が床板補強用延長片２８ａと前板補強用延長片２８ｂによって２重に形成されているので、当該防止具２０内部にある程度の体液が溜まっても容易に形崩れ等することはないという効果がある。
【００７０】
また、この第３の実施形態では、貫通孔２１の前面側の位置には前板部２４が位置するように構成し、当該貫通孔２１に勘合したコネクタ部１５から流出する体液を確実に受け止められるように構成している。尚、第２の実施形態と同様、フラップ部分２４ｂは手前（矢印Ａ方向）に倒してコネクタ部１５へのチューブの着脱を容易に行うものである。
【００７１】
図９（ａ）に示すものは、本発明の体液漏出防止具の貫通孔７，２１の他の実施形態であり、この貫通孔は、円形外周縁３５から貫通孔中心Ｐに向かって複数の切り込み線(直線的切込み又はミシン目)３６を設けることにより複数の円弧状の切り込み片３７を形成し、上記カニューレ１１の未挿入状態では複数の上記切り込み片３７により閉鎖状態としたものである。
【００７２】
このように構成すると、カニューレ１１のコネクタ部１５を貫通孔７に挿入する場合、図９(ｂ)に示すようにコネクタ部１５の直径が小さい場合は当該直径に合わせて上記切り込み片３７が体液漏出防止具１のコネクタ部１５への挿入方向とは対向方向に小さく起立し、その先端部がコネクタ部１５の外周に接した状態でコネクタ部１５を保持し、図８（ｃ）に示すようにコネクタ部１５の直径が大きい場合は当該直径に合わせて上記切り込み片３７が体液漏出防止具１のコネクタ部１５への挿入方向とは対向方向に大きく起立し、その先端部がコネクタ部１５の外周に接した状態でコネクタ部１５を保持する。このように、コネクタ部１５の直径の大小にかかわらず、貫通孔７（又は２１）に上記コネクタ部１５が保持されるため、確実に体液漏出防止具１をコネクタ部に装着し得る。
【００７３】
以上のように本発明によれば、カニューレ１１のコネクタ部１５から流出する痰等の体液を効果的に回収することができ、体液が患者９の身体や衣類に付着することを防止することができる。
【００７４】
また、本発明に係る体液漏出防止具は、樹脂をコーティングした紙等で簡単に作ることができるし、防水性を有するため、極めて使い勝手の良いものである。
【００７５】
また、体液漏出防止具の装着常態において、コネクタ部１５への吸引具等の着脱処置等を容易に行なうことができる。
【００７６】
また、患者は本発明に係る体液漏出防止を装着したままの状態で歩行や簡単な作業等を行い得る。
【００７７】
また、咳等により相当量の痰等が一度に流出する場合であっても、相当量の痰等を確実に受けることができ、よって患者は咳等に伴う痰の流出を気にすることなくリハビリ等を行うことができる。
【００７８】
また、本発明に係る体液漏出防止具は防水加工を施した紙等によって低コストで比較的簡単に作ることができる。
【００７９】
また、カニューレのコネクタ部の直径が異なっても確実に装着することができる体液漏出防止具を提供し得るものである。
【００８０】
さらに薬剤の吸入操作時等においても吸入器のマスクを体液漏出防止具の床板部に装着して行うことにより、吸入に伴う衣類の汚れをも防止できる。
【００８１】
このように、本発明に係る体液漏出防止具を使用することにより、体液漏出に伴う患者の衣類の汚れを解消することができるため、看護士を含め、介護者の負担を大幅に軽減することができるものである。
【産業上の利用可能性】
【００８２】
本発明の体液漏出防止具は、カニューレ等の各種器具を装着した患者用の体液漏出防止具として、広く適用可能なものである。
【図面の簡単な説明】
【００８３】
【図１】本発明に係る第１の実施形態の体液漏出防止具の斜視図である。
【図２】同上防止具の使用状態を示す断面図である。
【図３】同上防止具の使用状態を示す斜視図である。
【図４】本発明に係る第２の実施形態の体液漏出防止具の斜視図である。
【図５】同上第２の実施形態の防止具の使用状態を示す断面図である。
【図６】同上第２の実施形態の防止具の使用状態を示す斜視図である。
【図７】同上防止具を装着した状態で吸入操作を行う場合の斜視図である。
【図８】本発明に係る第３の実施形態の体液漏出防止具の斜視図を示すものであり、（ａ）は組み立て前の状態、（ｂ）は組み立て後の状態を示す。
【図９】(ａ)は貫通孔の他の実施形態を示す正面図、（ｂ）及び(ｃ)は当該貫通孔に直径の異なるコネクタ部を装着した状態の側面図である。
【符号の説明】
【００８４】
１，２０          体液漏出防止具
２                水平床板部
３                直立壁
５ｂ              テーパ部
７，２１          貫通孔
１１              カニューレ
１５              コネクタ部
２２              後板部
２４              前板部
２４ａ，２４ａ’  切り込み
２４ｄ            フラップ
２５ａ，２５ａ’  左右側板部
２７              ストラップ
２８ａ            床板部補強用縁長片
２８ｂ            前板部補強用延長片
３６              切り込み線
３７              切り込み片
【図１】
2009112366.tif 000003
【図２】
2009112366.tif 000004
【図３】
2009112366.tif 000005
【図４】
2009112366.tif 000006
【図５】
2009112366.tif 000007
【図６】
2009112366.tif 000008
【図７】
2009112366.tif 000009
【図８】
2009112366.tif 000010
【図９】
2009112366.tif 000011